(57)【要約】【課題】狭小なところでも安全に昇降することができる仮設足場を提供する。【解決手段】所定の高さ位置に設けられた足場通路６の一側に、はしご１０がはしご面を通路方向に向けるようにして垂直に設けられ、足場通路６には、はしご位置に対応して昇降用開口部９が設けられ、該開口部９を通じ、足場通路幅の空間部１１を利用してはしご１０を昇降することにより、足場通路６とそれよりも高所及び／又は低所とを行き来できるようになされている。昇降用開口部９には、片開き回動式の踏み板兼用開閉蓋１３が設けられ、開閉蓋１３は、回動軸線を通路方向と直交する横方向に向けて枢着設置され、開口部９を開いた状態で帆立て状態に保持されるようになされている。【選択図】      図１
2004300838.tif 000002
【特許請求の範囲】
【請求項１】
所定の高さ位置に設けられた足場通路の一側に、はしごがはしご面を通路方向に向けるようにして垂直に設けられ、
足場通路には、はしご位置に対応して昇降用開口部が設けられ、
該開口部を通じ、足場通路幅の空間部を利用してはしごを昇降することにより、足場通路とそれよりも高所及び／又は低所とを行き来できるようになされていることを特徴とする仮設足場。
【請求項２】
前記昇降用開口部に、回動式の踏み板兼用開閉蓋が設けられ、該開閉蓋は、回動軸線を通路方向と直交する横方向に向けて枢着設置され、開口部を開いた状態で帆立て状態に保持されるようになされている請求項１に記載の仮設足場。
【請求項３】
前記開閉蓋が片開き式のものからなり、前記開口部の足場通路方向における前後両位置のうち、少なくとも開閉蓋の枢着されている側と反対の側に遮断バーが設置され、
該遮断バーは、通路を遮断する水平張出し状態でそれ以上下方に回動するのが規制されるようになされていると共に、通路を開く跳上げ退避状態にすると遮断バーの自重及び／又はバネ付勢力による付勢作用で水平張出し位置に復帰するようになされており、この付勢作用に抗して遮断バーを跳ね上げることで通路を開くことができるようになされている請求項２に記載の仮設足場。
【請求項４】
前記開口部の足場通路方向における前後両位置に遮断バーが設置され、
該遮断バーは、通路を遮断する水平張出し状態でそれ以上下方に回動するのが規制されるようになされていると共に、通路を開く跳上げ退避状態にすると遮断バーの自重及び／又はバネ付勢力による付勢作用で水平張出し位置に復帰するようになされており、この付勢作用に抗して遮断バーを跳ね上げることで通路を開くことができるようになされている請求項１に記載の仮設足場。
【発明の詳細な説明】
【０００１】
【発明の属する技術分野】
本発明は、住宅等の建物の建築に用いられる仮設足場に関する。
【０００２】
【従来の技術及び課題】
例えば、市街地における住宅用建物の建築では、比較的広いスペースを確保することのできる建物正面側には枠組足場と階段等の昇降設備とを設置するが、隣接建物間が狭小な残る三面ではブラケット足場やクサビ足場を設置せざるを得ず、これら三面には昇降設備を設置することができないことが多い。
【０００３】
そのため、建築作業において、狭小な三面側で作業を行っている作業者は、わざわざ正面側の昇降設備のところまで行って昇降しようとせずに、身近にある足場の建地パイプ等を伝って足場の外側を昇降するようになり、墜落転落事故を起こす危険性があった。
【０００４】
本発明は、上記のような従来の問題点に鑑み、狭小なところでも安全に昇降することができる仮設足場を提供することを課題とする。
【０００５】
【課題を解決するための手段】
上記の課題は、所定の高さ位置に設けられた足場通路の一側に、はしごがはしご面を通路方向に向けるようにして垂直に設けられ、
足場通路には、はしご位置に対応して昇降用開口部が設けられ、
該開口部を通じ、足場通路幅の空間部を利用してはしごを昇降することにより、足場通路とそれよりも高所及び／又は低所とを行き来できるようになされていることを特徴とする仮設足場によって解決される。
【０００６】
この仮設足場では、足場通路に設けられた昇降用開口部を通じ、垂直なはしごを伝って、足場通路幅の空間部を利用して昇降できるようになされているので、狭小なところでも、昇降動作を安全に行えるスペースを確保することができ、昇降を安全に行うことができる。
【０００７】
また、上記の仮設足場において、昇降用開口部に、回動式の踏み板兼用開閉蓋が設けられ、該開閉蓋は、回動軸線を通路方向と直交する横方向に向けて枢着設置され、開口部を開いた状態で帆立て状態に保持されるようになされているとよい。
【０００８】
この場合は、昇降用開口部に踏み板兼用開閉蓋が設けられているので、昇降時以外はこの開閉蓋で昇降用開口部を閉じておくことにより、作業者が不注意で昇降用開口部から落ちてしまうのを防ぐことができ、また、閉じた開閉蓋を踏み板にして足場通路を安全に行き来することができる。
【０００９】
しかも、開閉蓋は回動式であり、回動軸線を通路方向と直交する横方向に向けて枢着設置され、開口部を開いた状態で帆立て状態に保持されるようになされているので、昇降時に開閉蓋の開けも閉めも容易に行うことができ、昇降時以外は開閉蓋を閉じた状態にしておくことができて、昇降用開口部を通じた転落を防ぐことができる。加えて、開閉蓋が、昇降時以外のときに仮に開いていても、足場通路を移動する作業者は、目に付きやすい帆立て状態の開閉蓋に容易に気付いて、昇降用開口部が開いているのを確実に認識でき、誤って昇降用開口部を通じて落ちてしまうのを防ぐことができる。
【００１０】
また、開閉蓋が片開き式のものからなり、前記開口部の足場通路方向における前後両位置のうち、少なくとも、開閉蓋の枢着されている側と反対の側に遮断バーが設置され、
該遮断バーは、通路を遮断する水平張出し状態でそれ以上下方に回動するのが規制されるようになされていると共に、通路を開く跳上げ退避状態にすると遮断バーの自重及び／又はバネ付勢力による付勢作用で水平張出し位置に復帰するようになされており、この付勢作用に抗して遮断バーを跳ね上げることで通路を開くことができるようになされているとなおよい。
【００１１】
この場合は、昇降用開口部を挟んで片開き式の開閉蓋の枢着側と反対の側から昇降用開口部へと向かっていく作業者は、仮に、帆立て状態の開閉蓋の存在を認識しなかったとしても、昇降用開口部の手前で遮断バーに気付き、あるいは、遮断バーに通行を遮られ、それによって、誤って昇降用開口部を通じて落ちてしまうのをより確実に防ぐことができる。
【００１２】
しかも、遮断バーは、跳ね上げても、付勢作用で水平張出し位置に復帰するようになされているので、跳上げを行うとき以外は水平張出し位置にあり、そのため、誤って跳上げ状態になったままとなることがなく、昇降用開口部を通じて落ちてしまうのを確実に防ぐことができる。
【００１３】
なお、昇降用開口部を挟んで片開き式の開閉蓋の枢着側から昇降用開口部へと向かっていく作業者については、帆立て状態の開閉蓋に気付き、あるいは、帆立て状態の開閉蓋に通行を遮られ、あるいは、帆立て状態の開閉蓋に当たって蓋が閉じ、それによって、誤って昇降用開口部を通じて落ちてしまうのを確実に防ぐことができる。
【００１４】
また、昇降用開口部を開閉蓋で塞ぐ構造にするか否か、する場合に開閉蓋として回動式のものであって開いて帆立て状態になるものを採用するか否かなど問わず、開口部の足場通路方向における前後両位置に遮断バーが設置され、
該遮断バーは、通路を遮断する水平張出し状態でそれ以上下方に回動するのが規制されるようになされていると共に、通路を開く跳上げ退避状態にすると遮断バーの自重及び／又はバネ付勢力による付勢作用で水平張出し位置に復帰するようになされており、この付勢作用に抗して遮断バーを跳ね上げることで通路を開くことができるようになされているのもよい。
【００１５】
この場合は、作業者が、昇降用開口部を挟むいずれの側から昇降用開口部に向かっていく場合においても、昇降用開口部の手前で遮断バーに気付き、あるいは、遮断バーに通行を遮られ、それによって、誤って昇降用開口部を通じて落ちてしまうのを防ぐことができる。
【００１６】
しかも、遮断バーは、跳ね上げても、付勢作用で水平張出し位置に復帰するようになされているので、跳上げを行うとき以外は水平張出し位置にあり、そのため、誤って跳上げ状態になったままとなることがなく、昇降用開口部を通じて落ちてしまうのを確実に防ぐことができる。
【００１７】
【発明の実施の形態】
次に、本発明の実施形態を図面に基づいて説明する。
【００１８】
図１乃至図４に示す第１実施形態の仮設足場において、１…は支柱、２…は布材、３…は補助支柱、４…はブラケット、５…は踏み板であり、上下２つの足場通路６，６が備えられている。７は建築しようとする建物であり（図５参照）、踏み板５の幅は、例えば２４０ｍｍと狭幅である。
【００１９】
そして、上下の足場通路６，６のなかほどの踏み板高さ位置において昇降用開口部９，９が設けられており、これら昇降用開口部９，９の位置に対応して、足場通路６，６の幅方向の一側、本実施形態では、建物とは反対の側にはしご１０，１０がはしご面を通路方向に向けるようにして支柱１，１間の布材２に連結されて垂直に設置され、開口部９，９を通じ、足場通路幅の空間部１１を利用してはしご１０を昇降することにより、図５に示すように、地上１２と上下の足場通路６，６との間や、上下の足場通路６，６間を行き来できるようになされている。
【００２０】
更に、上下の各昇降用開口部９，９には、図４及び図６に拡大して示すように、片開き回動式の踏み板兼用開閉蓋１３，１３が設置されており、各開閉蓋１３，１３は、回動軸線を通路方向と直交する横方向に向けてブラケット４に枢着され、開口部９を開いた状態で帆立て状態に保持されるようになされている。本実施形態における帆立て状態は、図７等に示すように、垂直状態よりもいくぶん開き方向に傾いた状態であり、開閉蓋１３は、その自重によって帆立て状態を維持するようになされている。
【００２１】
なお、開閉蓋１３の帆立て状態は、開閉蓋１３の自重によらず、例えばガススプリングなどを用いて維持されるようになされていてもよく、例えばそのようなガススプリングなどによって帆立て状態を維持するような場合は、開閉蓋１３の帆立て状態は、垂直状態、あるいは、垂直状態よりもいくぶん閉じ方向に傾いた状態であってもよい。
【００２２】
また、本実施形態では、図４、図６、図７等に示すように、昇降用開口部９の足場通路方向における前後両位置のうち、開閉蓋１３の枢着されている側と反対の側に、足場通路６の中間高さ位置において、遮断バー１４が設置されている。遮断バー１４は、支柱１の側に一端を枢着されており、通路６を遮断する水平張出し状態でそれ以上下方に回動するのが規制されるようになされていると共に、足場通路６を開く跳上げ退避状態にすると、遮断バー１４の自重、あるいは、バネ付勢力、あるいは、遮断バー１４の自重とバネ付勢力の両方による付勢作用で、水平張出し位置に自ら復帰するようになされており、図６に示すように、この付勢作用に抗して遮断バー１４を跳ね上げることで通路を開くことができるようになされている。
【００２３】
上記の仮設足場では、図５に示すように、足場通路６に設けられた昇降用開口部９を通じ、垂直なはしご１０を伝って、足場通路幅の空間部１１を利用して昇降できるので、建築しようとする建物７に隣接接近して隣の建物８などが存在するような場合であっても、昇降動作を安全に行えるスペースを確保することができて、昇降を安全に行うことができる。
【００２４】
更に、本実施形態では、各昇降用開口部９，９に踏み板兼用開閉蓋１３，１３が設けられているので、昇降時以外はこの開閉蓋１３，１３で昇降用開口部９，９を閉じておくことにより、作業者が不注意で昇降用開口部から落ちてしまうのを防ぐことができ、また、閉じた開閉蓋１３，１３を踏み板にして足場通路を安全に行き来することができる。
【００２５】
しかも、開閉蓋１３，１３は回動式であり、回動軸線を通路方向と直交する横方向に向けて枢着されて、開口部９，９を開いた状態で帆立て状態に保持されるようになされているので、昇降時に開閉蓋１３の開けも閉めも容易に行うことができ、昇降時以外は開閉蓋１３を閉じた状態にしておくことができて、昇降用開口部９，９を通じた転落を防げる。
【００２６】
加えて、開閉蓋１３が、図７に示すように、昇降時以外のときに開いていても、足場通路６を移動する作業者１５，１５は、目に付きやすい帆立て状態の開閉蓋１３に容易に気付いて、昇降用開口部９が開いているのを認識できるので、誤って昇降用開口部９を通じて落ちてしまうことがない。
【００２７】
更に、本実施形態では、遮断バー１４も備えられているので、図７に示すように、昇降用開口部９を挟んで開閉蓋１３の枢着側と反対の側から昇降用開口部へと向かっていく作業者は、仮に帆立て状態の開閉蓋１３の存在を認識しなかったとしても、昇降用開口部９の手前で遮断バー１４に気付き、あるいは、遮断バー１４に通行を遮られ、誤って昇降用開口部９を通じて落ちてしまうのが防がれる。
【００２８】
また、遮断バー１４は、跳ね上げても、付勢作用で水平張出し位置に復帰するようになされているので、跳ね上げても自ら水平張出し位置に復帰するため、跳上げ状態のままになってしまうことがなく、昇降用開口部９を通じて落ちてしまうのを防ぐことができる。
【００２９】
昇降用開口部９を挟んで開閉蓋１３の枢着側から昇降用開口部９へと向かっていく作業者については、帆立て状態の開閉蓋１３に気付き、あるいは、帆立て状態の開閉蓋１３に通行を遮られ、あるいは、帆立て状態の開閉蓋１３に当たって蓋が閉じ、それによって、誤って昇降用開口部を通じて落ちてしまうのが防がれる。
【００３０】
なお、帆立てされた開閉蓋１３や遮断バー１４による転落防止をより確実なものにするため、これら開閉蓋１３や遮断バー１４として、注意喚起色、例えば黄色のものを用いるようにするとより一層効果的である。
【００３１】
図８に示す第２実施形態の仮設足場は、片開き式の開閉蓋１３が、１８０°回動して開いた状態となるものであり、開いた状態で帆立て状態とならず、そのため、開口部９の足場通路方向における前後両位置に、上記と同様の遮断バー１４，１４が設置されている。その他は第１実施形態と同様である。開口部９が開いている場合に、昇降用開口部９を挟むいずれの側から足場通路６を昇降用開口部９に向かっていく場合においても、昇降用開口部９の手前で遮断バー１４に気付き、あるいは、遮断バー１４に通行を遮られ、誤って昇降用開口部９を通じて落ちてしまうのが防がれる。
【００３２】
以上に、本発明の実施形態を示したが、本発明はこれに限られるものではなく、発明思想を逸脱しない範囲で各種の変更が可能である。例えば、上記の実施形態では、足場通路幅の空間部１１において建築対象建物の側に背を向けてはしご１０を昇降するように、はしご１０を足場通路幅の空間部１１を挟んで建築対象建物７とは反対の側に設置している場合を示しているが、足場通路幅の空間部１１において建築対象建物７の側とは反対の側に背を向けてはしご１０を昇降するように、はしご１０を足場通路幅の空間部１１を挟んで建築対象建物７の側に設置するようにしてもよい。また、昇降用開口部を開閉する回動式開閉蓋は、両開き式のものであってもよい。また、本発明の仮設足場は、いわゆるビケ足場（登録商標）やブラケット足場など、各種仮設足場に広く適用されうるものであることはいうのでもない。更に、基本的には、昇降用開口部は蓋なしの開いたままであってもよい。
【００３３】
【発明の効果】
本発明の仮設足場は、以上のとおりのものであるから、狭小なところでも安全に昇降することができる。
【図面の簡単な説明】
【図１】第１実施形態の仮設足場を示す斜視図である。
【図２】同正面図である。
【図３】図（イ）は同平面図、図（ロ）は同側面図である。
【図４】昇降用開口部付近を拡大して示すもので、開閉蓋を開いた状態の斜視図である。
【図５】開口部を通じて昇降している状態ほ示す側面図である。
【図６】昇降用開口部付近を拡大して示すもので、開閉蓋を閉じた状態の斜視図である。
【図７】足場通路における作業者の移動状態を示す拡大正面図である。
【図８】第２実施形態の仮設足場を示すもので、足場通路における作業者の移動状態を示す拡大正面図である。
【符号の説明】
６…足場通路
９…昇降用開口部
１０…はしご
１１…足場通路幅の空間部
１３…開閉蓋
１４…遮断バー
【図１】
2004300838.tif 000003
【図２】
2004300838.tif 000004
【図３】
2004300838.tif 000005
【図４】
2004300838.tif 000006
【図５】
2004300838.tif 000007
【図６】
2004300838.tif 000008
【図７】
2004300838.tif 000009
【図８】
2004300838.tif 000010